(57)【要約】【課題】デジタルデータの受信装置を小型化することが可能な技術を提供することである。【解決手段】トランスポートストリーム形式のデジタルデータを分割し、該分割されたトランスポートストリーム形式のデジタルデータを複数のチャネルで分割伝送するデジタルデータの送信装置において、前記トランスポートストリーム形式のデジタルデータと共に他のトランスポートストリーム形式のデジタルデータとを分割伝送する際に、分割を必要とするトランスポートストリーム形式のデジタルデータの分割数と、分割を必要としないトランスポートストリーム形式のデジタルデータに割り当てられるチャネル数とに基づいて、各トランスポートストリーム形式のデジタルデータを前記複数のチャネルに割り当てる手段を備えた。【選択図】        図１
2004201235.tif 000002
【特許請求の範囲】
【請求項１】
トランスポートストリーム形式のデジタルデータを分割し、該分割されたトランスポートストリーム形式のデジタルデータを複数のチャネルで分割伝送するデジタルデータの送信装置において、
前記トランスポートストリーム形式のデジタルデータと共に他のトランスポートストリーム形式のデジタルデータとを分割伝送する際に、分割を必要とするトランスポートストリーム形式のデジタルデータの分割数と、分割を必要としないトランスポートストリーム形式のデジタルデータに割り当てられるチャネル数とに基づいて、各トランスポートストリーム形式のデジタルデータを前記複数のチャネルに割り当てる手段を備えたことを特徴とするデジタルデータの送信装置。
【請求項２】
請求項１に記載のデジタルデータの送信装置において、
前記割り当て手段は、予め設定された分割手順に従って、各トランスポートストリーム形式のデジタルデータの前記複数のチャネルへの割り当て形態を演算する手段と、前記演算された割り当て形態から前記分割されるトランスポートストリーム形式のデジタルデータの分割数、及び前記分割されないトランスポートストリーム形式のデジタルデータに割り当てられるチャネル数に基づいて、前記演算された割り当て形態を評価する手段とを備えたことを特徴とするデジタルデータの送信装置。
【請求項３】
請求項１に記載のデジタルデータの送信装置において、
前記割り当て手段は、予め設定された２以上の分割手順に従って、各トランスポートストリーム形式のデジタルデータの前記複数のチャネルへの割り当て形態をそれぞれ演算する手段と、前記演算された複数の割り当て形態から、全てのトランスポートストリーム形式のデジタルデータが最小の分割数となると共に、前記分割されないトランスポートストリーム形式のデジタルデータに割り当てられるチャネル数と、各チャネルの伝送容量より小さいトランスポートストリーム形式のデジタルデータ数との何れか小さい値が、前記分割されないトランスポートストリーム形式のデジタルデータが割り当てられるチャネル数と一致する割り当て形態を選択する手段からなることを特徴とするデジタルデータの送信装置。
【請求項４】
請求項３に記載のデジタルデータの送信装置において、
前記選択手段は、前記演算手段で演算された前記割り当て形態を一時的に格納する手段と、前記分割されないトランスポートストリーム形式のデジタルデータに割り当てられるチャネル数、及び／又は前記分割されないトランスポートストリーム形式のデジタルデータが割り当てられるチャネル数の許容値を格納する手段と、前記一致する割り当て形態が得られない場合に、前記一次的格納手段を検索して前記許容値内の割り当て形態を選択する手段とを備えたことを特徴とするデジタルデータの送信装置。
【請求項５】
請求項３に記載のデジタルデータの送信装置において、
前記選択手段は、前記演算手段で演算された前記割り当て形態を一時的に格納する手段と、前記分割されないトランスポートストリーム形式のデジタルデータに割り当てられるチャネル数、及び／又は前記分割されないトランスポートストリーム形式のデジタルデータが割り当てられるチャネル数の許容値を格納する手段と、前記一致する割り当て形態が得られない場合に、前記一次的格納手段を検索して前記許容値内の割り当て形態を表示させる手段とを備えたことを特徴とするデジタルデータの送信装置。
【請求項６】
請求項２乃至５の内の何れかに記載のデジタルデータの送信装置において、
前記トランスポートストリーム形式のデジタルデータの容量と、前記チャネルの伝送容量との組み合わせに対応する、前記分割を必要とするトランスポートストリーム形式のデジタルデータの分割数、及び前記分割を必要としないトランスポートストリーム形式のデジタルデータに割り当てられるチャネル数をそれぞれ格納する手段を備え、前記演算手段もしくは前記評価手段は入力される前記トランスポートストリーム形式のデジタルデータに応じて前記格納手段を検索し所望の割り当て形態を得ることを特徴とするデジタルデータの送信装置。
【請求項７】
請求項６に記載のデジタルデータの送信装置において、
前記格納手段は、前記トランスポートストリーム形式のデジタルデータの容量と、前記チャネルの伝送容量との組み合わせに対応した、分割を必要とするトランスポートストリーム形式のデジタルデータの分割数、及び分割を必要としないトランスポートストリーム形式のデジタルデータに割り当てられるチャネル数を外部より取り込む手段を備えたことを特徴とするデジタルデータの送信装置。
【発明の詳細な説明】
【０００１】
【発明の属する技術分野】
本発明は、デジタルデータの送信装置に関し、特に、衛星放送などの無線系伝送路で伝送されたデジタルデータをケーブルテレビ（以下、ＣＡＴＶという）の有線系伝送路を用いて周波数多重して伝送するケーブルテレビの送信装置に適用して有効な技術に関するものである。
【０００２】
【従来の技術】
従来のデジタルデータの送信装置ならびに受信装置には、特開２００１−１９７０２８号公報（以下、文献１と記す）に開示される周波数多重データ伝送の送信装置ならびに受信装置があった。この文献１に記載の送信装置ならびに受信装置では、１トランスポンダ（中継器）当たり毎秒５２．１７メガビット（ＴＳパケットの長さ、１８８バイトを基準）の伝送速度の複数ＴＳ（トランスポートストリーム）方式で伝送されるＢＳデジタル放送のＴＳ形式のデジタルデータを、伝送速度が毎秒２９．１６２メガビット（ＴＳパケットの長さ、１８８バイトを基準）のデジタルＣＡＴＶの２つの搬送波で送信装置から受信装置に伝送する構成となっていた。
【０００３】
すなわち、文献１に記載の送信装置では、分離回路が例えばＢＳデジタル受信機からの衛星デジタル放送（以下、ＢＳデジタル放送と記す）で伝送された高速度の複数ＴＳ形式のデジタルデータとＴＭＣＣとを分離した後に、デジタルデータについては、ケーブルテレビのデジタル伝送方式の一搬送波で伝送できるデータ速度以下である低速度の２つのデジタルデータに分離する。次に、パケット合成回路が分離されたデジタルデータのそれぞれにヌルデータを多重し、ケーブルテレビのデータ伝送速度に合致した速度の複数ＴＳ形式のデジタルデータを生成する。この後に、デジタル変調手段として機能する６４ＱＡＭ変調回路がパケット合成回路で生成されたそれぞれの複数ＴＳ形式のデジタルデータで搬送波をデジタル変調し、周波数多重回路が変調されたデジタルデータを周波数多重してケーブルテレビの伝送路に送出する構成となっていた。
【０００４】
一方、受信装置では、周波数選択回路が、まず伝送路の信号から周波数多重された複数の変調後のデジタルデータを選択し、次に６４ＱＡＭ復調回路が選択された変調後のデジタルデータから複数ＴＳ形式のデジタルデータをデジタル復調する。次に、誤り訂正回路がデジタル復調されたそれぞれの複数ＴＳ形式のデジタルデータ毎に誤り訂正を行う。次に、データ合成回路がそれぞれの複数ＴＳ形式のデジタルデータからヌルデータを分離した後に、それぞれの複数ＴＳ形式のデジタルデータを合成し元の複数ＴＳ形式のデジタルデータすなわちＢＳデジタル受信機からのＢＳデジタル放送で伝送された複数ＴＳ形式のデジタルデータを生成する。この複数ＴＳ形式のデジタルデータは、ＴＳ分離回路に入力され、このＴＳ分離回路からの出力がＴＳパケット分離回路に入力される構成となっていた。
【０００５】
【発明が解決しようとする課題】
本発明者は、前記従来技術を検討した結果、以下の問題点を見いだした。
従来のデジタルデータの受信装置では、送信装置から送出された周波数多重された信号から所望のＴＳ形式のデジタルデータを取り出す、すなわちＢＳデジタル放送で伝送された複数ＴＳ形式のデジタルデータを生成するには、まずチャネル数に応じた周波数選択回路や６４ＱＡＭ復調回路により、伝送路の信号から周波数多重された複数の変調後のデジタルデータを選択し、この選択された変調後のデジタルデータから６４ＱＡＭ復調回路が複数ＴＳ形式のデジタルデータをデジタル復調する必要があった。このために、従来の受信装置を用いて、複数チャネル分の同時受信を可能とするためには、同時受信数に応じた周波数選択回路や６４ＱＡＭ復調回路が必要であった。
【０００６】
一方、デジタルデータの送信装置からケーブルテレビの伝送路に送出された信号を受信する受信装置は、テレビ等の受信機とは別の筐体に納められ、受信機の近傍に配置することとなるので、さらなる小型化が要望されている。受信装置を小型化する方法としては、各処理回路の集積化等の他に、チャネル数に応じた周波数選択回路数等を低減させることが有効である。
【０００７】
しかしながら、同時受信を可能とする周波数選択回路数は、前述するように、送信装置で決定されるＴＳ形式のデジタルデータや複数ＴＳ形式のデジタルデータに割り当てられるチャネル数によって決定されてしまうので、受信装置側で周波数選択回路数を減少させることが困難であった。
【０００８】
本発明の目的は、デジタルデータの受信装置を小型化することが可能な技術を提供することにある。
本発明の前記ならびにその他の目的と新規な特徴は、本明細書の記述及び添付図面によって明らかになるであろう。
【０００９】
【課題を解決するための手段】
本願において開示される発明のうち、代表的なものの概要を簡単に説明すれば、下記のとおりである。
（１）トランスポートストリーム形式のデジタルデータを分割し、該分割されたトランスポートストリーム形式のデジタルデータを複数のチャネルで分割伝送するデジタルデータの送信装置において、前記トランスポートストリーム形式のデジタルデータと共に他のトランスポートストリーム形式のデジタルデータとを分割伝送する際に、分割を必要とするトランスポートストリーム形式のデジタルデータの分割数と、分割を必要としないトランスポートストリーム形式のデジタルデータに割り当てられるチャネル数とに基づいて、各トランスポートストリーム形式のデジタルデータを前記複数のチャネルに割り当てる手段を備えた。
【００１０】
（２）前述した（１）に記載のデジタルデータの送信装置において、前記割り当て手段は、予め設定された分割手順に従って、各トランスポートストリーム形式のデジタルデータの前記複数のチャネルへの割り当て形態を演算する手段と、前記演算された割り当て形態から前記分割されるトランスポートストリーム形式のデジタルデータの分割数、及び前記分割されないトランスポートストリーム形式のデジタルデータに割り当てられるチャネル数に基づいて、前記演算された割り当て形態を評価する手段とを備えた。
【００１１】
（３）前述した（１）に記載のデジタルデータの送信装置において、前記割り当て手段は、予め設定された２以上の分割手順に従って、各トランスポートストリーム形式のデジタルデータの前記複数のチャネルへの割り当て形態をそれぞれ演算する手段と、前記演算された複数の割り当て形態から、全てのトランスポートストリーム形式のデジタルデータが最小の分割数となると共に、前記分割されないトランスポートストリーム形式のデジタルデータに割り当てられるチャネル数と、各チャネルの伝送容量より小さいトランスポートストリーム形式のデジタルデータ数との何れか小さい値が、前記分割されないトランスポートストリーム形式のデジタルデータが割り当てられるチャネル数と一致する割り当て形態を選択する手段からなる。
【００１２】
（４）前述した（３）に記載のデジタルデータの送信装置において、前記選択手段は、前記演算手段で演算された前記割り当て形態を一時的に格納する手段と、前記分割されないトランスポートストリーム形式のデジタルデータに割り当てられるチャネル数、及び／又は前記分割されないトランスポートストリーム形式のデジタルデータが割り当てられるチャネル数の許容値を格納する手段と、前記一致する割り当て形態が得られない場合に、前記一次的格納手段を検索して前記許容値内の割り当て形態を選択する手段とを備えた。
【００１３】
（５）前述した（３）に記載のデジタルデータの送信装置において、前記選択手段は、前記演算手段で演算された前記割り当て形態を一時的に格納する手段と、前記分割されないトランスポートストリーム形式のデジタルデータに割り当てられるチャネル数、及び／又は前記分割されないトランスポートストリーム形式のデジタルデータが割り当てられるチャネル数の許容値を格納する手段と、前記一致する割り当て形態が得られない場合に、前記一次的格納手段を検索して前記許容値内の割り当て形態を表示させる手段とを備えた。
【００１４】
（６）前述した（２）乃至（５）の内の何れかに記載のデジタルデータの送信装置において、前記トランスポートストリーム形式のデジタルデータの容量と、前記チャネルの伝送容量との組み合わせに対応する、前記分割を必要とするトランスポートストリーム形式のデジタルデータの分割数、及び前記分割を必要としないトランスポートストリーム形式のデジタルデータに割り当てられるチャネル数をそれぞれ格納する手段を備え、前記演算手段もしくは前記評価手段は入力される前記トランスポートストリーム形式のデジタルデータに応じて前記格納手段を検索し所望の割り当て形態を得る。
【００１５】
（７）前述した（６）に記載のデジタルデータの送信装置において、前記格納手段は、前記トランスポートストリーム形式のデジタルデータの容量と、前記チャネルの伝送容量との組み合わせに対応した、分割を必要とするトランスポートストリーム形式のデジタルデータの分割数、及び分割を必要としないトランスポートストリーム形式のデジタルデータに割り当てられるチャネル数を外部より取り込む手段を備えた。
【００１６】
前述した手段によれば、トランスポートストリーム形式のデジタルデータと共に他のトランスポートストリーム形式のデジタルデータとを分割伝送する際に、分割を必要とするトランスポートストリーム形式のデジタルデータの分割数と、分割を必要としないトランスポートストリーム形式のデジタルデータに割り当てられるチャネル数とに基づいて、割り当て手段が各トランスポートストリーム形式のデジタルデータをそれぞれ複数のチャネルに割り当てることにより、トランスポートストリーム形式のデジタルデータを送信するためのチャネルの分割数（１を含む）を最小数に設定できるので、受信装置の側で放送条件の取得が可能となる可能性を向上させることができる。さらには、トランスポートストリーム形式のデジタルデータを送信するためのチャネルの分割数（１を含む）を最小数に設定できるので、同時受信を可能とするためのチューナ（周波数選択回路）数を低減させることが可能となり、受信装置を小型化することができる。
【００１７】
特に、予め設定された２以上の分割手順に従って、各トランスポートストリーム形式のデジタルデータの複数のチャネルへの割り当て形態をそれぞれ演算する手段と、演算された複数の割り当て形態から全てのトランスポートストリーム形式のデジタルデータが最小の分割数となると共に、分割されないトランスポートストリーム形式のデジタルデータに割り当てられるチャネル数と、各チャネルの伝送容量より小さいトランスポートストリーム形式のデジタルデータ数との何れか小さい値が、分割されないトランスポートストリーム形式のデジタルデータが割り当てられるチャネル数と一致する割り当て形態を選択する構成とすることによって割り当て形態を直ちに得ることができるので、割り当て形態の決定に要する付加を低減することができる。
【００１８】
このとき、チャネルの数をｎ、各チャネルの伝送容量（スロット数）よりも小さい分割を必要としないトランスポートストリームの数をｍとした場合に、分割を必要としないトランスポートストリーム形式のデジタルデータに割り当てられるチャネル数が、ｎとｍの内の何れか小さい方と一致するように設定することによって、放送条件の取得が可能となるＳＩ取得可能チャネルを最大にしつつ、分割を必要とするトランスポートストリーム形式のデジタルデータの分割数を少なくできるので、少ないチャネルで効率よくトランスポートストリーム形式のデジタルデータを送信することができる。
【００１９】
また、演算手段で演算された割り当て形態を一時的に格納しておくと共に、許容値格納手段に分割されないトランスポートストリーム形式のデジタルデータに割り当てられるチャネル数、及び／又は分割されないトランスポートストリーム形式のデジタルデータが割り当てられるチャネル数の許容値を格納しておき、一致する割り当て形態が得られない場合に、一次的に格納される割り当て形態から許容値内の割り当て形態を検索し選択することによって、最適な割り当て形態が得られない場合であっても、許容値内の割り当て形態を得ることができるので、入力信号の切り替えを防止できる。
【００２０】
さらには、演算手段で演算された割り当て形態を一時的に格納しておくと共に、分割されないトランスポートストリーム形式のデジタルデータに割り当てられるチャネル数、及び／又は前記分割されないトランスポートストリーム形式のデジタルデータが割り当てられるチャネル数の許容値を格納しておき、一致する割り当て形態が得られない場合に、一次的に格納される割り当て形態から許容値内の割り当て形態を検索して表示させることによって、最適な割り当て形態が得られない場合であっても、操作者の判断により入力信号の切り替えを行うことなく、許容値内の割り当て形態を得ることができる。
【００２１】
【発明の実施の形態】
以下、本発明について、発明の実施の形態（実施例）とともに図面を参照して詳細に説明する。
なお、発明の実施の形態を説明するための全図において、同一機能を有するものは同一符号を付け、その繰り返しの説明は省略する。
【００２２】
（実施の形態１）
図１は本発明の実施の形態１のデジタルデータの送信装置の概略構成を説明するための図であり、特に、衛星デジタル放送をＣＡＴＶ伝送するケーブルテレビの送信装置に本発明を適用したものである。
【００２３】
図１において、１０１は送信装置、１０２ａ〜１０２ｅは第１〜第Ｍの複数ＴＳデータ部、１０３は複数ＴＳデータ情報等入力部、１０４は複数ＴＳ分割多重化部、１０５は複数ＴＳ分割割付部、１０６はヌルパケット生成部、１０７は割付算出部、１０８は割付評価部、１１０ａ〜１１０ｄは６４ＱＡＭ変調部、１１１は周波数多重部を示す。なお、実施の形態１では、主要な機能部のみを示しており制御マイコンなどの周辺回路ブロックは略している。
【００２４】
実施の形態１の送信装置では、Ｍ個（ただし、Ｍは１以上の自然数である）の第１〜第Ｍの複数ＴＳデータ部１０２ａ〜１０２ｅがＣＡＴＶ伝送の信号源となる。第１〜第Ｍの複数ＴＳデータ部１０２ａ〜１０２ｅは、デジタル放送の映像、音声、データ等をＭＰＥＧ２により符号化したトランスポートストリーム（ＴＳ）が１以上多重化された信号を出力する。この多重化された信号は、ＭＰＥＧ−ＴＳ形式のパケット（デジタルデータ）である。なお、第１〜第Ｍの複数ＴＳデータ部１０２ａ〜１０２ｅとしては、例えば図示しない衛星放送受信アンテナと、この衛星放送受信アンテナによって受信された衛星デジタル放送の変調信号から単一のＭＰＥＧ−ＴＳ形式デジタルデータを変調／復号する図示しないデジタル復調／復号回路とから構成される衛星デジタル受信機がある。ただし、デジタル復調／復号回路による変調／復号処理では、選択されたチャネルのデジタル復調、及び誤り訂正、並びにエネルギー拡散等の衛星デジタル放送で規定される伝送路復号処理がなされる。特に、日本の衛星デジタル放送にはＣＳデジタル放送とＢＳデジタル放送とがあり、ＣＳデジタル放送は単一のＴＳで放送されているので、ＣＳデジタル放送波がデジタル復調／復号回路に入力された場合には、そのＴＳがデジタル復調／復号回路すなわち第１〜第Ｍの複数ＴＳデータ部１０２ａ〜１０２ｅから出力されることを意味する。一方、ＢＳデジタル放送は複数ＴＳで放送されるので、ＢＳデジタル放送波がデジタル復調／復号回路に入力された場合には、複数ＴＳの内の１ＴＳがデジタル復調／復号回路すなわち第１〜第Ｍの複数ＴＳデータ部１０２ａ〜１０２ｅから出力されることを意味する。
【００２５】
第１〜第Ｍの複数ＴＳデータ部１０２ａ〜１０２ｅから出力されたＭＰＥＧ−ＴＳ形式のデジタルデータは、それぞれ複数ＴＳ分割割付部１０５に入力されると共に、複数ＴＳデータ情報等入力部１０３に入力される構成となっている。ここで、複数ＴＳデータ情報等入力部１０３は、第１〜第Ｍの複数ＴＳデータ部１０２ａ〜１０２ｅから入力されたＭＰＥＧ−ＴＳ形式のデジタルデータを観測する手段として機能する。複数ＴＳデータ情報等入力部１０３は、第１〜第Ｍの複数ＴＳデータ部１０２ａ〜１０２ｅ毎に、第１〜第Ｍの複数ＴＳデータ部１０２ａ〜１０２ｅから入力される１ないし複数のＭＰＥＧ−ＴＳ形式のデジタルデータのパケット容量をそれぞれ取得する構成となっており、得られたパケット容量を割付算出部１０７に出力する。
【００２６】
なお、第１〜第Ｍの複数ＴＳデータ部１０２ａ〜１０２ｅから入力される１ないし複数のＭＰＥＧ−ＴＳ形式のデジタルデータでは、例えば、信号源がＣＳデジタル放送の場合には、信号は単一のＭＰＥＧトランスポートストリーム（ＭＰＥＧ−ＴＳ）である。また、ＢＳデジタル放送の場合には、信号は複数のＭＰＥＧ−ＴＳが多重されフレーム化されている。従って、以下の説明では、第１〜第Ｍの複数ＴＳデータ部１０２ａ〜１０２ｅから入力される１ないし複数のＭＰＥＧ−ＴＳ形式のデジタルデータを１以上のＭＰＥＧ−ＴＳ形式のデータと記す。
【００２７】
また、第１〜第Ｍの複数ＴＳデータ部１０２ａ〜１０２ｅから出力されるＭＰＥＧ−ＴＳ形式のデジタルデータから、ＴＳパケットの容量を取得する手順は、第１〜第Ｍの複数ＴＳデータ部１０２ａ〜１０２ｅから出力されるＭＰＥＧ−ＴＳ形式のデジタルデータが自局の映像，音声，データ信号の場合には、ＭＰＥＧ２でエンコードする時の設定条件から容量を算出し、複数ＴＳデータ情報等入力部１０３から周知のキーボード等の図示しない外部入力装置等から入力する。
【００２８】
また、第１〜第Ｍの複数ＴＳデータ部１０２ａ〜１０２ｅから出力されるＭＰＥＧ−ＴＳ形式のデジタルデータが衛星放送の放送波を受信した信号の場合には、ＴＭＣＣ信号に含まれる「相対ＴＳ／スロット情報」から相対ＴＳに対応する各ＴＳのスロット数を算出し、同じくＴＭＣＣ信号に含まれる「相対ＴＳ／ＴＳＩＤ表」から相対ＴＳとＴＳ  ＩＤの対応を得て、ＴＳの容量を得る（１１０゜ＣＳ放送も同じである）。
【００２９】
さらには、第１〜第Ｍの複数ＴＳデータ部１０２ａ〜１０２ｅから出力されるＭＰＥＧ−ＴＳ形式のデジタルデータがＣＳ放送（１１０゜ＣＳ放送を除く）や、通信衛星により配信される番組を受信した信号の場合には、伝送容量が固定であるので、その伝送チャネルの容量を複数ＴＳデータ情報等入力部１０３から周知のキーボード等の図示しない外部入力装置等から入力する。このように、事前にＴＳパケットの容量が判明している場合には、外部入力装置等からＴＳパケットの容量を直接に設定する構成としてもよいことはいうまでもない。
【００３０】
複数ＴＳデータ情報等入力部１０３で得られた第１〜第Ｍの複数ＴＳデータ部１０２ａ〜１０２ｅ毎のパケット容量は、割付算出部１０７に出力される。ここで、割付算出部１０７は、入力された第１〜第Ｍの複数ＴＳデータ部１０２ａ〜１０２ｅ毎のパケット容量、及び予め設定されている送信装置１０１の各チャネル（伝送チャネル）の伝送容量に基づいて、予め設定されたアルゴリズムに従ってＴＳパケットの伝送チャネルへの割り当て形態を算出する。割り当て形態を算出するアルゴリズムとしては、例えば、最大の未割当スロットを持つＴＳから順番に、最大の空き容量の伝送チャネルへＴＳパケットの伝送チャネルを割り当てるアルゴリズム（順次割当アルゴリズム）や、最大の容量のＴＳを空き容量のある伝送チャネル数に分割し、この分割されたＴＳを最大の空き容量を持つチャネルに順番に割り当てる（均等割当アルゴリズム）等が適用可能である。割当アルゴリズムの詳細について後述する。
【００３１】
ただし、実施の形態１では、１搬送波で伝送可能な複数ＴＳ形式のデジタルデータの伝送速度に関係する割付単位をＳスロットとして、搬送波による伝送チャネル数をｎ、Ｍ個の複数ＴＳ形式のデジタルデータの各データの伝送速度を複数ＴＳ形式のデジタルデータの伝送速度に関係する割付単位で割った値（余りがある場合には、１を加算する）のスロット数で表現して、Ｘ（１）スロット〜Ｘ（Ｍ）スロットとして、ｎ×Ｓの中にＸ（１）〜Ｘ（Ｍ）の総合計が入る場合に、割付算出部１０７は所定のアルゴリズムに従って各搬送波のＳスロットにＭ個の複数ＴＳ形式のデジタルデータの割り当て形態を算出する。
【００３２】
割付算出部１０７で得られた割り当て形態は、直ちに割付評価部１０８に出力され、当該割付評価部１０８において、得られた割り当て形態が最適な割付であるか否かが判定される。ただし、本実施の形態の送信装置を構成する割付評価部１０８における判定（最適判定）では、１）全てのＴＳが最小の分割数（１を含む）で伝送チャネルに割り当てられており、２）伝送チャネル数をｎ、各伝送チャネルの伝送容量（Ｓスロット）より小さいＴＳパケットの数をｍとしたときのｎとｍとの内で小さい方の数が、分割されないＴＳが割り当てられたチャネル数となる、何れの条件も満たす場合に、最適と判断する。なお、割付評価部１０８による割り当て結果（割り当て形態）に対する評価の詳細については、後述する。
【００３３】
ここで、割付評価部１０８が割付算出部１０７の算出した割り当て形態を最適と判定しなかった場合には、割付評価部１０８は割付算出部１０７に、再度、割り当て形態の算出を指示する。以降、割付評価部１０８が割付算出部１０７の算出した割り当て形態を最適と判定するまで、割付評価部１０８は割付算出部１０７に割り当て形態の算出を指示する。
【００３４】
一方、割付評価部１０８が割付算出部１０７の算出した割り当て形態を最適と判定した場合には、割付評価部１０８は入力された割り当て形態、すなわち最適と判定した割り当て形態を複数ＴＳ分割割付部１０５に出力する。
【００３５】
割り当て形態が入力された複数ＴＳ分割割付部１０５は、入力された割り当て形態に従って、まず、第１〜第Ｍの複数ＴＳデータ部１０２ａ〜１０２ｅからそれぞれ入力されるＭＰＥＧ−ＴＳ形式のデジタルデータをＴＳパケット単位で各伝送チャネルに割り当てる。このとき、分割を必要とするＭＰＥＧ−ＴＳ形式のデジタルデータの場合には、複数ＴＳ分割割当部１０５に内蔵する図示しないデータ分割回路が入力された分割数に従ってＭＰＥＧ−ＴＳ形式のデジタルデータを分割した後に、割り当て指示された伝送チャネルに対応する複数ＴＳ分割割当部１０５に内蔵する図示しない多重化回路に入力される。一方、分割を必要としないＭＰＥＧ−ＴＳ形式のデジタルデータは、そのまま割り当て指示された伝送チャネルに対応する多重化回路に入力される。
【００３６】
ここで、多重化回路に入力されたＭＰＥＧ−ＴＳ形式のデジタルデータは、伝送チャネルの速度情報と、分割されたＭＰＥＧ−ＴＳ形式のデジタルデータの速度情報との比較により、速度誤差信号を得て、その速度誤差に応じたヌルパケットをヌルパケット生成部１０６から得て規定の伝送速度のデジタルデータとして６４ＱＡＭ変調部１１０ａ〜１１０ｄに出力する。なお、分割されたＭＰＥＧ−ＴＳ形式のデジタルデータからケーブルテレビ網に送信する複数ＴＳ形式のデジタルデータ及び規定の伝送速度のデジタルデータの生成手順は、周知の手順を適用可能となるので、詳細な説明は省略する。また、前述の記載から明らかなように、複数ＴＳ分割割付部１０５、ヌルパケット生成部１０６、割付算出部１０７、及び割付評価部１０８によって、複数ＴＳ分割多重化部１０４が構成される。
【００３７】
この規定の伝送速度のデジタルデータは、６４ＱＡＭ変調部１１０ａ〜１１０ｄで６４ＱＡＭの多値デジタル変調され、周波数多重部１１１によって他の被変調波と周波数多重されて図示しない伝送路に送信される。
【００３８】
この伝送路に図示しない周知の受信装置が接続されており、この受信装置では、伝送路に送出された複数のデジタル変調された被変調波を入力とし、複数のデジタル変調された被変調波から複数の図示しない周波数選択回路によって必要な被変調波を選択し、その選択された６４ＱＡＭ被変調波を図示しない周知の６４ＱＡＭ復調回路で復調して、図示しない周知のＭＰＥＧ−ＴＳ同期バイト時間差検出吸収回路で６４ＱＡＭ復調回路からの分割されたＭＰＥＧ−ＴＳ形式のデジタルデータの内部にあるＭＰＥＧ−ＴＳ同期バイトの到着時間差を検出して、その時間差を吸収することで送信側で分割されたＭＰＥＧ−ＴＳ形式のデジタルデータを同期させて図示しない周知のＭＰＥＧ−ＴＳデータ合成回路に出力する。
【００３９】
ＭＰＥＧ−ＴＳデータ合成回路では、それらの分割されたＭＰＥＧ−ＴＳ形式のデジタルデータを合成することで、送信側のデータ分割回路に入力されたのと同一データであるＭＰＥＧ−ＴＳ形式のデジタルデータに戻すことができる。このＭＰＥＧ−ＴＳ形式のデジタルデータ及び分割されていないＭＰＥＧ−ＴＳ形式のデジタルデータは図示しない周知のＭＰＥＧ−ＴＳパケット分離回路に入力されて、ＭＰＥＧ−ＴＳパケット分離回路が映像と音声のそれぞれのパケットを分離して、映像パケットデータは図示しない周知のＭＰＥＧビデオデコーダでデコードされ、音声パケットは図示しない周知のＭＰＥＧオーディオデコーダでデコードされて、映像信号と音声信号が得られて、図示しない表示装置に入力される。
【００４０】
図７は実施の形態１の割付算出部における割当アルゴリズムの一例を説明するための図である。
以下、図７に基づいて、割当アルゴリズムの一例である順次割当アルゴリズムを説明する。ただし、図７で使用する変数は、作業用のスロット容量：ｃａｐ、任意の自然数ｊで指定されるチャネル番号ｊに割り当てられたＴＳ番号ｉのスロット数（スロット容量）：ｌｏｃａｔｅｄ＿ｓｌｏｔ（ｉ，ｊ）、チャネル番号ｊ（ｃｈ（ｊ））の未割当のスロット数：ｒｅｍ＿ｃｈ（ｊ）、ＴＳ番号ｉ（ＴＳ（ｉ））の未割当のスロット数：ｒｅｍ＿ＴＳ（ｉ）、選別したチャネルの番号のスロット数：ｓｅｌｅｃｔｅｄ＿ｃｈ＿ｃａｐ、選別したＴＳ番号のスロット数：ｓｅｌｅｃｔｅｄ＿ＴＳ＿ｃａｐ、選別したチャネルの番号：ｓｅｌｅｃｔｅｄ＿ｃｈ＿Ｎｏである。
【００４１】
本フローの開始は、複数ＴＳデータ情報等入力部１０３で得られた第１〜第Ｍの複数ＴＳデータ部１０２ａ〜１０２ｅに含まれる各ＴＳの容量の値の割付算出部１０７への入力である。
【００４２】
複数ＴＳデータ情報等入力部１０３で得られた第１〜第Ｍの複数ＴＳデータ部１０２ａ〜１０２ｅに含まれるＴＳのパケット容量が入力されると、ｍａｘＴＳ＿Ｎｏ処理として、最大の未割当のスロットを持つＴＳ番号を変数であるｓｅｌｅｃｔｅｄ＿ＴＳ＿Ｎｏに入れ、そのスロット数を変数であるｓｅｌｅｃｔｅｄ＿ＴＳ＿ｃａｐに入れる（ステップ７０１）。
【００４３】
次に、最大の未割当のスロットを持つＴＳ番号のＴＳの未割当のスロット数が０でないことをチェックした後に（ステップ７０２）、ｍａｘｃｈ＿Ｎｏ処理として、最大の空き容量のチャネル番号をｓｅｌｅｃｔｅｄ＿ｃｈ＿Ｎｏに入れ、そのスロット数をｓｅｌｅｃｔｅｄ＿ｃｈ＿ｃａｐに入れる（ステップ７０３）。ただし、最大の空き容量のチャネルの空き容量が０（空きがない）の場合には、全て割り当てられたこととなり、本フローは終了となる（ステップ７０４）。
【００４４】
次に、最大の未割当のスロットを持つＴＳ番号の未割当のスロット数と、最大の空き容量のチャネル番号の空いているスロット数とを比較し、最大の未割当のスロットを持つＴＳ番号の未割当のスロット数が最大の空き容量を持つチャネルの空いているスロット数より大きい場合には、この最大の空き容量のチャネルに最大の未割当のスロットを持つＴＳのスロット数の内で割り当て可能なスロット数だけ割り当てる（ステップ７０６）。また、このステップ７０６では、割り当てられたＴＳ番号の未割当のスロット数を割り当てたスロット数だけ減じ、割り当てられたチャネルの空き容量のスロット数を割り当てたスロット数だけ減じる。これらの処理の後に、ステップ７０３に戻り、ｍａｘｃｈ＿Ｎｏ処理として、次に大きい空き容量のチャネル番号に対して前述する処理を行う。
【００４５】
一方、ステップ７０５において、最大の未割当のスロットを持つＴＳ番号の未割当のスロット数が最大の空き容量のスロット数より小さい場合には、割り当てる容量を最大の未割当のＴＳのスロット数とし（ステップ７０７）、最大の空き容量のチャネルに割り当てる（ステップ７０８）。このとき、ステップ７０８では割り当てたＴＳ番号の未割当のスロット数を割り当てたスロット数だけ減じ、割り当てられたチャネルの空き容量のスロット数を割り当てたスロット数だけ減じる。これらの処理の後に、ステップ７０１に戻り、ｍａｘＴＳ＿Ｎｏ処理として、次に大きい未割当のスロットを持つＴＳ番号に対して前述する処理を行う。
【００４６】
次に、本実施の形態１の割付評価部１０８における評価について説明する。ただし、以下の説明では、第１と第２の複数ＴＳデータ部１０２ａ，１０２ｂに含まれるＴＳをそれぞれＴＳ１〜ＴＳ４と記す。
【００４７】
（１）、伝送チャネルの伝送容量がそれぞれ５２スロットで伝送チャネル数が３である時に、ＴＳ１＝１２０スロット、ＴＳ２＝２４スロット、ＴＳ３＝６スロット、ＴＳ４＝４スロットを割り当てる場合。
【００４８】
各伝送チャネルの最小分割数は、ＴＳ１＝３チャネル、ＴＳ２＝１チャネル、ＴＳ３＝１チャネル、ＴＳ４＝１チャネルとなり、ＳＩ取得可能チャネル数の最大理論値としては、各チャネルの伝送容量より小さいＴＳは、ＴＳ２からＴＳ４の３ＴＳ、伝送チャネル数は３であるので、ＳＩ取得可能チャネルの数の最大理論値は３となる。
【００４９】
従って、割付算出部１０７から例えば、伝送チャネル１にＴＳ１の５２スロット、伝送チャネル２にＴＳ１の５２スロット、伝送チャネル３にＴＳ１の１６スロット、ＴＳ２の２４スロット、ＴＳ３の６スロット、ＴＳ４の４スロットの割り当て形態が算出された場合には、全てのＴＳが最小の分割数で割り当てられているが、ＳＩ取得可能チャネル数がチャネル３の１チャネルのみとなるので、割付評価部１０８は最適ではないと判定し、割付算出部１０７に再度割り当て形態の算出を行わせる。
【００５０】
ここで、次に、伝送チャネル１にＴＳ１の２６スロット及びＴＳ２の２４スロット、伝送チャネル２にＴＳ１の４６スロット及びＴＳ３の６スロット、伝送チャネル３にＴＳ１の４８スロット及びＴＳ４の４スロットの割り当て形態が割付算出部１０７から算出された場合には、全てのＴＳが最小の分割数で割り当てられており、ＳＩ取得可能チャネル数が伝送チャネル１〜伝送チャネル３の３チャネル分となるので、割付評価部１０８は最適と判定して、この割り当て形態を複数ＴＳ分割割付部１０５に出力する。
【００５１】
（２）、伝送チャネルの伝送容量がそれぞれ５２スロットで伝送チャネル数が３である時に、ＴＳ１＝５２スロット、ＴＳ２＝５０スロット、ＴＳ３＝２７スロット、ＴＳ４＝２５スロットを割り当てる場合。
【００５２】
各伝送チャネルの最小分割数は、ＴＳ１＝１チャネル、ＴＳ２＝１チャネル、ＴＳ３＝１チャネル、ＴＳ４＝１チャネルとなり、ＳＩ取得可能チャネル数の最大理論値としては、各チャネルの伝送容量より小さいＴＳは、ＴＳ１からＴＳ４の４ＴＳ、伝送チャネル数は３であるので、ＳＩ取得可能チャネルの数の最大理論値は３となる。
【００５３】
従って、割付算出部１０７から例えば、伝送チャネル１にＴＳ２の５０スロット、伝送チャネル２にＴＳ１の２５スロット及びＴＳ３の２７スロット、伝送チャネル３にＴＳ１の２７スロット及びＴＳ４の２５スロットの割り当て形態が算出された場合には、ＴＳ１は最小の分割数１に対して、分割数２で割り当てがなされている。また、ＳＩ取得可能チャネル数が伝送チャネル１〜伝送チャネル３の３チャネルとなるので最大理論値となる。従って、割付評価部１０８は最適ではないと判定し、割付算出部１０７に再度割り当て形態の算出を行わせる。
【００５４】
ここで、次に、伝送チャネル１にＴＳ１の５２スロット、伝送チャネル２にＴＳ２の５０スロット、伝送チャネル３にＴＳ３の２７スロット及びＴＳ４の２５スロットの割り当て形態が割付算出部１０７から算出された場合には、全てのＴＳが最小の分割数で割り当てられており、ＳＩ取得可能チャネル数が伝送チャネル１〜伝送チャネル３の３チャネル分となるので、割付評価部１０８は最適と判定して、この割り当て形態を複数ＴＳ分割割付部１０５に出力する。
【００５５】
以上説明したように、実施の形態１の送信装置では、第１〜第Ｍの複数ＴＳデータ部１０２ａ〜１０２ｅからそれぞれ入力されるＭＰＥＧ−ＴＳ形式のデジタルデータを分割伝送する際に、ＴＳデータ部１０２から出力するＭＰＥＧ−ＴＳ形式のデジタルデータに含まれる分割を必要としないＴＳの数を観測し、そのＴＳの数と複数ＴＳ分割多重化部１０４が出力する分割されないＴＳを含む伝送チャネル数とを比較評価することにより、分割を必要としないＭＰＥＧ−ＴＳ形式のデジタルデータが分割されることを防ぐと共に、分割されないＭＰＥＧ−ＴＳ形式のデジタルデータが割り当てられる伝送チャネルの数を最大に設定することができるので、受信装置の側でサービス・インフォメーション（ＳＩ情報／放送条件）の取得が可能となるチャネル数を最大とすることができる。すなわち、実施の形態１の送信装置では、分割を必要としないＭＰＥＧ−ＴＳ形式のデジタルデータが分割されることを防ぐと共に、分割されないＭＰＥＧ−ＴＳ形式のデジタルデータが割り当てられる伝送チャネルの数を最大に設定することができるので、受信装置の側で無作為に選局した場合にサービス・インフォメーション（ＳＩ情報／放送条件）の取得が可能となる確率を向上させることができる。
【００５６】
さらには、ＴＳデータ部１０２から出力するＭＰＥＧ−ＴＳ形式のデジタルデータに含まれる分割を必要とするＴＳのそれぞれの容量を観測して分割伝送に必要な最小の伝送チャネル数を算出し、その数（伝送チャネル数）と複数ＴＳ分割多重化部１０４が出力するデジタルデータの分割伝送に用いるチャネル数とを比較評価することにより、分割を必要とするＭＰＥＧ−ＴＳ形式のデジタルデータが余剰に分割されることを防ぐことができる。これにより、ＭＰＥＧ−ＴＳ形式のデジタルデータを送信するための分割数を最小に設定でき、最小の伝送チャネルを用いた伝送ができるので、分割伝送される信号の同時受信を可能とするための受信装置側に必要となるチューナ（周波数選択回路）数を低減させることが可能となり、受信装置を小型化することができる。
【００５７】
このとき、伝送チャネルの数をｎ、各伝送チャネルの伝送容量（スロット数）よりも小さい分割を必要としないＴＳの数をｍとした場合に、分割を必要としないＭＰＥＧ−ＴＳ形式のデジタルデータ、すなわち分割を必要としないＭＰＥＧ−ＴＳ形式のデジタルデータを出力する複数ＴＳデータ部１０２に含まれるＴＳに割り当てられるチャネル数が、ｎとｍの内の何れか小さい方と一致するように設定することによって、放送条件の取得が可能となるＳＩ情報取得可能チャネルを最大にしつつ、分割を必要とするＭＰＥＧ−ＴＳ形式のデジタルデータの分割数を少なくできるので、最大のチャネルでＳＩ情報を受信機が取得できると共に、チューナーの必要数を最小とするＴＳの割り当てにより効率よくＭＰＥＧ−ＴＳ形式のデジタルデータを送出することができる。
【００５８】
（実施の形態２）
図２は本発明の実施の形態２のデジタルデータの送信装置の概略構成を説明するための図であり、特に、衛星デジタル放送をＣＡＴＶ伝送するケーブルテレビの送信装置に本発明を適用したものである。
【００５９】
図２において、２０１ａ，２０１ｂは第１〜第ｋの割付算出部、２０２は割付評価部を示す。なお、実施の形態２のデジタルデータの送信装置は、第１〜第ｋの割付算出部２０１ａ，２０１ｂ、及び割付評価部２０２の構成が異なるのみで、他の構成は実施の形態１のデジタルデータの送信装置と同様となる。従って、以下の説明では、第１〜第ｋの割付算出部２０１ａ，２０１ｂ、及び割付評価部２０２について詳細に説明する。
【００６０】
図２において、第１〜第ｋの割付算出部２０１ａ，２０１ｂは、それぞれが異なる算出アルゴリズム（分割割当の算出方法）を備える構成となっている。特に、実施の形態２の第１〜第ｋの割付算出部２０１ａ，２０１ｂでは、全ての第１〜第ｋの割付算出部２０１ａ，２０１ｂに同じ入力値（複数ＴＳデータに含まれるＴＳとそれぞれのパケット容量）が与えられる構成となっている。その結果、所望の（最適な）割り当て形態が１回の出力で得られる可能性を向上させることができる。
【００６１】
割付評価部２０２は、第１の割付算出部２０１ａからの割り当て形態が最適な割り当て形態であるか否かを判定し、この割り当て形態が最適な割り当て形態でないと判定した場合には、第２の割付算出部２０１で算出した割り当て形態が最適な割り当て形態であるか否かを判定し、この割り当て形態が最適な割り当て形態でないと判定した場合には、第３の割付算出部２０１で算出した割り当て形態が最適な割り当て形態であるか否かを判定するというように、最適な割り当てが得られるまで、順次第ｋの割付算出部２０１ｂで算出された割り当て形態までを判定すると共に、最適と判定された割り当て形態を複数ＴＳ分割割付部１０５に出力する手段として機能する手段である。
【００６２】
次に、図２に基づいて、実施の形態２のデジタルデータの送信装置の動作を説明する。
実施の形態２のデジタルデータの送信装置では、複数ＴＳデータ情報等入力部１０３で得られた第１〜第Ｍの複数ＴＳデータ部１０２ａ〜１０２ｅに含まれるＴＳ毎のパケット容量が、第１〜第ｋの割付算出部２０１ａ，２０１ｂに出力される。ここで、各第１〜第ｋの割付算出部２０１ａ，２０１ｂは、入力される第１〜第Ｍの複数ＴＳデータ部１０２ａ〜１０２ｅに含まれるＴＳ毎のパケット容量、及び予め設定されている送信装置１０１の各チャネル（伝送チャネル）の伝送容量に基づいて、予め各第１〜第ｋの割付算出部２０１ａ，２０１ｂに設定されたアルゴリズムに従ってＴＳパケットの伝送チャネルへの割り当て形態を算出する。
【００６３】
第１〜第ｋの割付算出部２０１ａ，２０１ｂで得られた割り当て形態は、直ちに割付評価部２０２に出力され、当該割付評価部２０２において、得られた割り当て形態が最適な割付であるか否かが判定される。
【００６４】
割付評価部２０２が第１〜第ｋの割付算出部２０１ａ，２０１ｂの算出した複数の割り当て形態の内から最適と判定した割り当て形態を選択し、その割り当て形態を複数ＴＳ分割割付部１０５に出力する。
【００６５】
割り当て形態が入力された複数ＴＳ分割割付部１０５は、入力された割り当て形態に従って、まず、第１〜第Ｍの複数ＴＳデータ部１０２ａ〜１０２ｅからそれぞれ入力されるＭＰＥＧ−ＴＳ形式のデジタルデータをＴＳパケット単位で各伝送チャネルに割り当てる。分割を必要とするＭＰＥＧ−ＴＳ形式のデジタルデータは、入力された割当容量に従ってＭＰＥＧ−ＴＳ形式のデジタルデータがＴＳパケット単位で分割され、割り当て指示された伝送チャネルに対応する多重化回路に入力される。一方、分割を必要としないＭＰＥＧ−ＴＳ形式のデジタルデータは、そのまま割り当て指示された伝送チャネルに対応する多重化回路に入力される。
【００６６】
ここで、多重化回路に入力されたＭＰＥＧ−ＴＳ形式のデジタルデータは、伝送速度誤差に応じたヌルパケットがヌルパケット生成部１０６で生成されて規定の伝送速度のデジタルデータとして６４ＱＡＭ変調部１１０ａ〜１１０ｄに出力される。規定の伝送速度のデジタルデータは、６４ＱＡＭ変調部１１０ａ〜１１０ｄにより６４ＱＡＭの多値デジタル変調された後に、周波数多重部１１１によって他の被変調波と周波数多重されて伝送路に送信されるので、送信装置及び受信装置では、前述する実施の形態１の効果を得ることができる。
【００６７】
さらには、実施の形態２のデジタルデータの送信装置では、第１〜第ｋの割付算出部２０１ａ，２０１ｂの複数個の割付算出部を設けることによって、割り当て形態の算出に要する時間を短縮することができる。
【００６８】
なお、実施の形態２のデジタルデータの送信装置では、第１〜第ｋの割付算出部２０１ａ，２０１ｂの複数個の割付算出部を設ける構成としたが、これに限定されることはなく、例えば１個の割付算出部にそれぞれが異なる算出アルゴリズム（分割割当の方法）を備える構成とし、それぞれの算出アルゴリズムで算出した割り当て形態を割付評価部２０２に出力する構成としても、前述した効果を得られることはいうまでもない。
【００６９】
（実施の形態３）
図３は本発明の実施の形態３のデジタルデータの送信装置の概略構成を説明するための図であり、特に、衛星デジタル放送をＣＡＴＶ伝送するケーブルテレビの送信装置に本発明を適用したものである。
【００７０】
図３において、３０１は割付制御部、３０２はテーブルデータを示す。なお、実施の形態３のデジタルデータの送信装置は、複数ＴＳ分割多重化部１０４を構成する割付制御部３０１及びテーブルデータ３０２の構成が異なるのみで、他の構成は実施の形態１や実施の形態２のデジタルデータの送信装置と同様となる。従って、以下の説明では、割付制御部３０１及びテーブルデータ３０２についてのみ詳細に説明する。
【００７１】
図３に示すように、実施の形態３のデジタルデータの送信装置では、複数ＴＳデータ情報等入力部１０３からの出力がテーブルデータ（テーブルデータ３０２を保持するテーブルデータ部）３０２に入力されると共に、テーブルデータ３０２からの出力（複数ＴＳデータ情報等入力部１０３から入力された条件に応じた最適な割り当て形態）が割付制御部３０１に出力される構成となっている。すなわち、複数ＴＳ分割割当部１０５に入力する第１〜第Ｍの複数ＴＳデータ部１０２ａ〜１０２ｅからの複数ＴＳデジタルデータのＴＳ数並びにそれぞれのＴＳの容量（スロット数）からなる入力条件、及び伝送チャネル数ｎと各伝送チャネルの伝送容量（Ｓスロット）とからなる出力条件をもとに、両者の組み合わせによる最適な分割と割り当てとの組み合わせをテーブルデータ３０２から取り出し、この取り出したデータにより割付制御部３０１は最適な割り当て形態で複数ＴＳ分割割当部１０５に制御信号を出力する構成となっている。
【００７２】
なお、実施の形態３では、テーブルデータ３０２は、割付制御部３０１を実現する図示しない情報処理装置が有する内部の記憶装置に格納される構成となっている。また、テーブルデータ３０２の一例としては、複数ＴＳ分割割当部１０５に入力する第１〜第Ｍの複数ＴＳデータ部１０２ａ〜１０２ｅからの複数ＴＳデジタルデータのＴＳ数並びにそれぞれのＴＳの容量（スロット数）からなる入力条件、及び伝送チャネル数ｎと各伝送チャネルの伝送容量（Ｓスロット）とからなる出力条件の値の組み合わせに対応した、各伝送チャネルでのＴＳの（最適な）割当容量（すなわち、ＴＳの最適な分割とその割り当て容量）を表形式で格納する構成となっている。
【００７３】
従って、実施の形態３の割付制御部３０１及びテーブルデータ３０２では、入力条件（第１〜第Ｍの複数ＴＳデータに含まれるＴＳパケットの数とそれぞれのＴＳパケットの容量（スロット数））、及び装置からの出力条件（伝送チャネル数と各伝送チャネルの容量）が入力されると、この入力条件及び出力条件に該当する割り当て形態をテーブルデータ３０２から検索するのみで、最適な割り当て形態を得ることができる。すなわち、検索動作のみを最適な割り当て形態を得ることができるので、制御信号を得るために必要な時間を大幅に短縮するが可能となる。
【００７４】
次に、図３に基づいて、実施の形態３のデジタルデータの送信装置の動作を説明する。
実施の形態３のデジタルデータの送信装置では、複数ＴＳデータ情報等入力部１０３で得られた第１〜第Ｍの複数ＴＳデータ部１０２ａ〜１０２ｅに含まれるＴＳ毎のパケット容量が、テーブルデータ３０２に出力される。ここで、テーブルデータ３０２には、入力される第１〜第Ｍの複数ＴＳデータ部１０２ａ〜１０２ｅにそれぞれ含まれるＴＳ毎のパケット容量、及び割付制御部３０１から得られる送信装置１０１の各チャネル（伝送チャネル）の伝送容量に基づいて、予め算出・評価され、格納された値に従ってＴＳパケットの伝送チャネルへの割り当て形態を獲得し、得られた割り当て形態が直ちに割付制御部３０１に出力される。
【００７５】
ここで、実施の形態３の割付制御部３０１は、テーブルデータ３０２で検索した、入力されたＴＳの数とそれぞれの容量と伝送チャネル数ｎと各伝送チャネルの容量とに対応する各ＴＳの伝送チャネルへの分割した割り当て容量を得て、適合する割り当て形態を選択する。このとき、入力された割り当て形態に適合する（最適と判断できる）割り当て形態がない場合には、予めテーブルデータ３０２に格納されている最適解に近い条件の割り当て形態を得る。すなわち、入力条件と出力条件とをもとにテーブルデータ３０２からそれぞれのチャネルに最適な容量の割り当てを行う際に、最適解が得られない場合には、近似の割り当て形態を適用するものである。
【００７６】
一方、割付制御部３０１がテーブルデータ３０２より引き出した割り当て形態が最適な割り当て形態である場合には、割付制御部３０１は最適の割り当て形態を複数ＴＳ分割割付部１０５に出力する。
【００７７】
割り当て形態が入力された複数ＴＳ分割割付部１０５は、入力された割り当て形態に従って、まず、第１〜第Ｍの複数ＴＳデータ部１０２ａ〜１０２ｅからそれぞれ入力される１以上のＭＰＥＧ−ＴＳ形式のデジタルデータをＭＰＥＧ−ＴＳ単位で各伝送チャネルに割り当てる。分割を必要とするＭＰＥＧ−ＴＳ形式のデジタルデータは、割付制御部３０１から入力されたチャネル毎の伝送容量に従ってＭＰＥＧ−ＴＳ形式のデジタルデータが分割され、割り当て指示された伝送チャネルに対応する多重化回路に入力される。一方、分割を必要としないＭＰＥＧ−ＴＳ形式のデジタルデータは、そのまま割り当て指示された伝送チャネルに対応する多重化回路に入力される。
【００７８】
ここで、多重化回路に入力されたＭＰＥＧ−ＴＳ形式のデジタルデータは、伝送速度誤差に応じたヌルパケットがヌルパケット生成部１０６で生成されて規定の伝送速度のデジタルデータとして６４ＱＡＭ変調部１１０ａ〜１１０ｄに出力される。規定の伝送速度のデジタルデータは、６４ＱＡＭ変調部１１０ａ〜１１０ｄにより６４ＱＡＭの多値デジタル変調された後に、周波数多重部１１１によって他の被変調波と周波数多重されて伝送路に送信されるので、送信装置及び受信装置では、前述する実施の形態１の効果を得ることができる。
【００７９】
実施の形態３のデジタルデータの送信装置では、テーブルデータ３０２として備えるデータに、事前に演算処理と評価とを行うことにより最適の値となっている割り当て形態を保持させる構成となっているので、伝送の条件が入力されると、割付制御部はその割り当て形態を直ちに複数ＴＳ分割割付部１０５に出力できる。
【００８０】
（実施の形態４）
図４は本発明の実施の形態４のデジタルデータの送信装置の概略構成を説明するための図であり、特に、衛星デジタル放送をＣＡＴＶ伝送するケーブルテレビの送信装置に本発明を適用したものである。
【００８１】
図４において、４０１は割付制御部、４０２は媒体管理部、４０３は記憶媒体を示す。なお、実施の形態４のデジタルデータの送信装置では、複数ＴＳ分割多重化部１０４を構成する媒体管理部４０２と割付制御部４０１の構成が異なるのみ、すなわち記憶媒体４０３に図示しないテーブルデータを備える媒体管理部４０２の構成が異なるのみで、他の構成は実施の形態１〜３のデジタルデータの送信装置と同様となる。従って、以下の説明では、割付制御部４０１及び媒体管理部４０２についてのみ詳細に説明する。
【００８２】
図４に示すように、実施の形態４のデジタルデータの送信装置では、複数ＴＳデータ情報等入力部１０３からの出力が媒体管理部４０２に入力されると共に、媒体管理部４０２からの出力（複数ＴＳデータ情報等入力部１０３から入力された条件に応じた最適な割り当て形態）が割付制御部４０１に出力される構成となっている。このとき、実施の形態４のデジタルデータの送信装置では、媒体管理部４０２は、書き換え可能あるいは交換可能な記憶媒体４０３にテーブルデータを格納する構成となっており、実施の形態３と同様に、このテーブルデータには最適な割り当て形態である入力条件出力条件に対応した分割・割り当てを行うための各伝送チャネルに対する割当容量値が格納されている。なお、記憶媒体４０３としては、書き換えもしくは交換可能な媒体であるメモリカード、フロッピーディスク、ＭＯ、及びＣＤ−ＲＯＭ等であり、実施の形態４では記憶媒体４０３により外部からデータを交換あるいは取り入れることができる手段であれば良いことはいうまでもない。
【００８３】
次に、図４に基づいて、実施の形態４のデジタルデータの送信装置の動作を説明する。
実施の形態４のデジタルデータの送信装置では、複数ＴＳデータ情報等入力部１０３で得られた当該送信装置の複数ＴＳ分割割当部１０５に入力する第１〜第Ｍの複数ＴＳデータ部１０２ａ〜１０２ｅからそれぞれ入力される１以上のＴＳデジタルデータに含まれるＴＳの数並びにそれぞれのＴＳの容量（スロット数）からなる入力条件、及び伝送チャネル数ｎと、各伝送チャネルの伝送容量（Ｓスロット）からなる出力条件をもとに両者の組み合わせによる割り当て形態が、テーブルデータ（事前に演算処理され評価された最適な分割並びに割り当ての組み合わせが格納される）から読み出され、直ちに割付制御部４０１に出力される。
【００８４】
ここで、実施の形態４の割付制御部４０１は、記憶媒体４０３に格納されるテーブルデータを媒体管理部４０２を介して検索し、入力されたＴＳの数とそれぞれの容量と伝送チャネル数ｎと各伝送チャネルの容量とに対応する各ＴＳの伝送チャネルへの分割した割り当て容量を得る。このとき、入力された割り当て形態に適合する（最適と判断できる）割り当て形態がない場合には、実施の形態３のテーブルデータ部３０２と同様に、記憶媒体４０３に予めテーブルデータとして格納されている最適解に近い条件の割り当て形態を得る。
【００８５】
一方、割付制御部４０１に対し媒体管理部４０２が記憶媒体４０３より取り出し出力した割り当て形態が最適の割り当て形態である場合には、割付制御部４０１はその割り当て形態を複数ＴＳ分割割付部１０５に出力する。
【００８６】
割り当て形態が入力された複数ＴＳ分割割付部１０５は、入力された割り当て形態に従って、まず、第１〜第Ｍの複数ＴＳデータ部１０２ａ〜１０２ｅからそれぞれ入力される１以上のＭＰＥＧ−ＴＳ形式のデジタルデータをＭＰＥＧ−ＴＳ単位で各伝送チャネルに割り当てる。分割を必要とするＭＰＥＧ−ＴＳ形式のデジタルデータは、媒体管理部４０２から入力されたチャネル毎の伝送容量に従ってＭＰＥＧ−ＴＳ形式のデジタルデータが分割・割り当てられ、割り当て指示された伝送チャネルに対応する多重化回路に入力される。一方、分割を必要としないＭＰＥＧ−ＴＳ形式のデジタルデータは、そのまま割り当て指示された伝送チャネルに対応する多重化回路に入力される。
【００８７】
ここで、多重化回路に入力されたＭＰＥＧ−ＴＳ形式のデジタルデータは、伝送速度誤差に応じたヌルパケットがヌルパケット生成部１０６で生成されて規定の伝送速度のデジタルデータとして６４ＱＡＭ変調部１１０ａ〜１１０ｄに出力される。規定の伝送速度のデジタルデータは、６４ＱＡＭ変調部１１０ａ〜１１０ｄにより６４ＱＡＭの多値デジタル変調された後に、周波数多重部１１１によって他の被変調波と周波数多重されて伝送路に送信されるので、送信装置及び受信装置では、前述する実施の形態１の効果を得ることができる。
【００８８】
さらには、実施の形態４のデジタルデータの送信装置では、書き換え可能あるいは交換可能な記憶媒体４０３にテーブルデータを格納する構成となっているので、前述する効果に加えて、送信装置１０１に演算条件を変更したときに最適なテーブルデータを設定することができ、また、新しいアルゴリズムにより演算処理した結果の導入も容易になる。
【００８９】
なお、実施の形態４のデジタルデータの送信装置では、記憶媒体４０３にテーブルデータを格納する構成としたが、これに限定されることはなく、例えば、１）記憶媒体４０３を内部の書き換え可能なメモリとし、そのメモリに必要に応じたテーブルデータを外部の記憶装置から書き込む、２）記憶媒体４０３に基本的なテーブルデータを格納し、さらに必要に応じて追加のテーブルデータを外部の記憶装置から書き込む、３）外部に記憶装置を接続し、この記憶装置に格納されたテーブルデータを用いる構成の何れであっても、前述する効果を得られることはいうまでもない。
【００９０】
（実施の形態５）
図５は本発明の実施の形態５のデジタルデータの送信装置の概略構成を説明するための図であり、特に、衛星デジタル放送をＣＡＴＶ伝送するケーブルテレビの送信装置に本発明を適用したものである。
【００９１】
図５において、５０１は割付評価部、５０２は割付評価表示部を示す。なお、実施の形態５のデジタルデータの送信装置は、割付評価部５０１及び割付評価表示部５０２の構成が異なるのみで、他の構成は実施の形態１のデジタルデータの送信装置と同様となる。従って、以下の説明では、割付評価部５０１及び割付評価表示部５０２についてのみ詳細に説明する。
【００９２】
図５において、割付評価部５０１は、割付算出部１０７からの割り当て形態が最適な割り当て形態であるか否かを判定し、最適な割り当て形態がないと判定した場合には割付算出部１０７に再度算出する指示する実施の形態１の割付算出部１０７と同様の手段として機能すると共に、所定回数再入力された割り当て形態の内に最適な割り当て形態が得られなかった場合には、最適な割り当て形態が得られなかったことを示す制御信号を割付評価表示部５０２に出力する構成となっている。
【００９３】
割付評価表示部５０２は、割付評価部５０１からの最適な割り当て形態が得られなかったことを示す制御信号に基づいて、予め設定された表示（最適な割り当て形態が得られなかったことを示す表示）を行う周知の表示手段であり、例えば当該送信装置が備える表示装置と兼用することが可能である。
【００９４】
次に、図５に基づいて、実施の形態５のデジタルデータの送信装置の動作を説明する。
実施の形態５のデジタルデータの送信装置では、複数ＴＳデータ情報等入力部１０３で得られた第１〜第Ｍの複数ＴＳデータ部１０２ａ〜１０２ｅに含まれるＭＰＥＧ−ＴＳ毎のパケット容量は、割付算出部１０７に出力される。ここで、割付算出部１０７は、入力される第１〜第Ｍの複数ＴＳデータ部１０２ａ〜１０２ｅに含まれるＭＰＥＧ−ＴＳの数と各ＭＰＥＧ−ＴＳ毎のパケット容量、及び予め設定されている送信装置１０１の伝送チャネルの数と各チャネルの伝送容量とに基づいて、割付算出部１０７に予め設定されたアルゴリズムに従ってＴＳパケットの伝送チャネルへの割り当て形態を算出し、得られた割り当て形態を直ちに割付評価部５０１に出力する。
【００９５】
実施の形態５の割付評価部５０１は、得られた割り当て形態が最適な割り当て形態であるか否かを判定する。
割付評価部５０１が割付算出部１０７の算出した割り当て形態を最適と判定しなかった場合には、割付評価部５０１は割付算出部１０７に、再度、割り当て形態の算出を指示する。以降、割付評価部５０１は割付算出部１０７の算出した割り当て形態を最適と判定するまで、割付算出部１０７に割り当て形態の算出を指示する。
【００９６】
ここで、割付算出部１０７に対する割り当て形態の算出指示が予め設定された所定数に達してしまった場合には、割付評価部５０１は割付算出部１０７に対する割り当て形態の算出指示の出力を停止させ、最適な割り当て形態が得られなかったことを示す制御信号を割付評価表示部５０２に出力する。制御信号が入力された割付評価表示部５０２は、予め設定された表示として、最適な割り当て形態が得られなかったことを示す表示を表示画面上に表示させる。
【００９７】
一方、割付評価部５０１が割付算出部１０７の算出した割り当て形態を最適と判定した場合には、割付評価部５０１は最適と判定した割り当て形態を複数ＴＳ分割割付部１０５に出力する。
【００９８】
割り当て形態が入力された複数ＴＳ分割割付部１０５は、入力された割り当て形態に従って、まず、第１〜第Ｍの複数ＴＳデータ部１０２ａ〜１０２ｅからそれぞれ入力される１以上のＭＰＥＧ−ＴＳ形式のデジタルデータをＭＰＥＧ−ＴＳ単位で各伝送チャネルに割り当てる。分割を必要とするＭＰＥＧ−ＴＳ形式のデジタルデータは、割付評価部５０１から入力されたチャネル毎の伝送容量に従ってＭＰＥＧ−ＴＳ形式のデジタルデータが分割・割り当てられ、割り当て指示された伝送チャネルに対応する多重化回路に入力される。一方、分割を必要としないＭＰＥＧ−ＴＳ形式のデジタルデータは、そのまま割り当て指示された伝送チャネルに対応する多重化回路に入力される。
【００９９】
ここで、多重化回路に入力されたＭＰＥＧ−ＴＳ形式のデジタルデータは、伝送速度誤差に応じたヌルパケットがヌルパケット生成部１０６で生成されて規定の伝送速度のデジタルデータとして６４ＱＡＭ変調部１１０ａ〜１１０ｄに出力される。規定の伝送速度のデジタルデータは、６４ＱＡＭ変調部１１０ａ〜１１０ｄにより６４ＱＡＭの多値デジタル変調された後に、周波数多重部１１１によって他の被変調波と周波数多重されて伝送路に送信されるので、送信装置及び受信装置では、前述する実施の形態１の効果を得ることができる。
【０１００】
さらには、実施の形態５のデジタルデータの送信装置では、割付評価部５０１が所定回数再入力された割り当て形態の内に最適な割り当て形態が得られなかった場合に、最適な割り当て形態が得られなかったことを示す制御信号を割付評価表示部５０２に出力し、割付評価表示部５０２に表示させる構成となっているので、前述する効果に加えて、最適な割り当て形態が得られるか否かを容易に確認し、操作者に対応を促すことができる。
【０１０１】
（実施の形態６）
図６は本発明の実施の形態６のデジタルデータの送信装置の概略構成を説明するための図であり、特に、衛星デジタル放送をＣＡＴＶ伝送するケーブルテレビの送信装置に本発明を適用したものである。
【０１０２】
図６において、６０１は割付評価部、６０２は近似値選択部を示す。なお、実施の形態６のデジタルデータの送信装置は、割付評価部６０１及び近似値選択部６０２の構成が異なるのみで、他の構成は実施の形態５のデジタルデータの送信装置と同様となる。従って、以下の説明では、割付評価部６０１及び近似値選択部６０２についてのみ詳細に説明する。
【０１０３】
図６において、割付評価部６０１は、割付算出部１０７からの割り当て形態が最適な割り当て形態であるか否かを判定し、最適な割り当て形態がないと判定した場合には割付算出部１０７に再度算出指示する実施の形態１の割付算出部１０７と同様の手段として機能する構成となっていると共に、近似値選択部６０２を有する構成となっている。
【０１０４】
近似値選択部６０２は、割付算出部１０７から演算出力される割り当て形態を一時的に内部もしくは外部の記憶装置に記憶しておくと共に、ＴＳの分割数とＳＩ取得可能チャネル数との何れかもしくは両方に対する許容値を当該の記憶装置に格納する構成となっている。また、近似値選択部６０２は所定回数再入力された割り当て形態の内に最適な割り当て形態が得られなかった場合には、前記の記憶装置を検索して一時的に記憶している割り当て形態の内から最適な割り当て形態に最も近い割り当て形態として、ＴＳの分割数とＳＩ取得可能チャネル数との何れかもしくは両方が許容値内であり、最適値に最も近い割り当て形態を選択し、この最も近い割り当て形態を複数ＴＳ分割割付部１０５に出力する手段として機能する。さらには、近似値選択部６０２は最適な割り当て形態に最も近い割り当て形態の選択した割り当て形態のＴＳの分割数及びＳＩ取得可能チャネル数と、最適なＴＳの分割数及びＳＩ取得可能チャネル数とを割付評価表示部５０２に出力する手段として機能する。ただし、最も近い割り当て形態を用いたこと、あるいは最適な割り当て形態が得られなかったことを示す制御信号を割付評価表示部５０２に出力する構成でもよいことはいうまでもない。また、割付評価部６０１が有する近似値選択部６０２は、最適と判断しなかった割り当て形態のみを一時的に格納する構成としてもよいことはいうまでもない。
【０１０５】
次に、図６に基づいて、実施の形態６のデジタルデータの送信装置の動作を説明する。
実施の形態６のデジタルデータの送信装置では、第１〜第Ｍの複数ＴＳデータ情報等入力部１０３で得られた第１〜第Ｍの複数ＴＳデータ部１０２ａ〜１０２ｅに含まれるＭＰＥＧ−ＴＳの数と各ＭＰＥＧ−ＴＳ毎のパケット容量は、割付算出部１０７に出力される。ここで、割付算出部１０７は、入力される第１〜第Ｍの複数ＴＳデータ部１０２ａ〜１０２ｅに含まれるＭＰＥＧ−ＴＳの数と各ＭＰＥＧ−ＴＳ毎のパケット容量、及び予め設定されている送信装置１０１の伝送チャネルの数と各チャネルの伝送容量に基づいて、割付算出部１０７に予め設定されたアルゴリズムに従ってＴＳパケットの伝送チャネルへの割り当て形態を算出し、得られた割り当て形を直ちに割付評価部６０１に出力する。これは、例えば第１の複数ＴＳデータ部１０２ａに、３個等の複数のＭＰＥＧ−ＴＳが含まれるためである。
【０１０６】
実施の形態６の割付評価部６０１は、得られた割り当て形態が最適な割り当て形態であるか否かを判定する。
割付評価部６０１が有する近似値選択部６０２は、割付算出部１０７の算出した割り当て形態を一時的に記憶する。このとき、割付評価部６０１は、再度、割付算出部１０７に割り当て形態の算出を指示する。以降、近似値選択部６０２は割付算出部１０７の算出した割り当て形態を割付評価部６０１が最適と判定するまで、入力される割り当て形態（もしくは、最適と判定しなかった割り当て形態）を一時的に記憶すると共に、割付評価部６０１は割付算出部１０７に割り当て形態の算出を指示する。なお、近似値選択部６０２は前述するように全ての割り当て形態を記憶することなく、例えば予め許容範囲（許容値）を設定しておき、割付算出部１０７が算出した割り当て形態の内で前記許容範囲の割り当て形態のみを一時的に記憶する構成でもよいことはいうまでもない。
【０１０７】
ここで、割付算出部１０７に対する割り当て形態の算出指示が予め設定された所定数に達してしまった場合には、近似値選択部６０２は割付評価部６０１による割付算出部１０７に対する割り当て形態の算出指示の出力を停止させる。
【０１０８】
次に、近似値選択部６０２は、一時的に記憶している割り当て形態の内から最適な割り当て形態に最も近い割り当て形態を選択し、この最も近い割り当て形態を複数ＴＳ分割割付部１０５に出力する。すなわち、近似値選択部６０２は記憶装置を検索して、一時的に記憶している割り当て形態の内から最適な割り当て形態に最も近い割り当て形態として、ＴＳの分割数とＳＩ取得可能チャネル数との何れかもしくは両方が許容値内であり、最適値に最も近い割り当て形態を選択し、この最も近い割り当て形態を複数ＴＳ分割割付部１０５に出力する。
【０１０９】
このとき、近似値選択部６０２は最適な割り当て形態に最も近い割り当て形態として選択した割り当て形態のＴＳの分割数及びＳＩ取得可能チャネル数と、最適なＴＳの分割数及びＳＩ取得可能チャネル数とを表示部５０２に出力する。制御信号が入力された割付評価表示部５０２は、予め設定された表示として、選択した割り当て形態のＴＳの分割数及びＳＩ取得可能チャネル数と、最適なＴＳの分割数及びＳＩ取得可能チャネル数とを表示画面上に表示させる。
【０１１０】
一方、割付評価部６０１が割付算出部１０７の算出した割り当て形態を最適と判定した場合には、割付評価部６０１は最適と判定した割り当て形態を複数ＴＳ分割割付部１０５に出力する。
【０１１１】
割り当て形態が入力された複数ＴＳ分割割付部１０５は、入力された割り当て形態に従って、まず、第１〜第Ｍの複数ＴＳデータ部１０２ａ〜１０２ｅからそれぞれ入力される１以上のＭＰＥＧ−ＴＳ形式のデジタルデータをＭＰＥＧ−ＴＳ単位で各伝送チャネルに割り当てる。分割を必要とするＭＰＥＧ−ＴＳ形式のデジタルデータは、割付評価部６０１から入力されたチャネル毎の伝送容量に従ってＭＰＥＧ−ＴＳ形式のデジタルデータが分割・割り当てられ、割り当て指示された伝送チャネルに対応する多重化回路に入力される。一方、分割を必要としないＭＰＥＧ−ＴＳ形式のデジタルデータは、そのまま割り当て指示された伝送チャネルに対応する多重化回路に入力される。
【０１１２】
ここで、多重化回路に入力されたＭＰＥＧ−ＴＳ形式のデジタルデータは、ヌルパケットと多重合成される。このヌルパケットは伝送速度誤差に応じてヌルパケット生成部１０６で生成され、多重合成された信号は規定の伝送速度のデジタルデータとして６４ＱＡＭ変調部１１０ａ〜１１０ｄに出力される。規定の伝送速度のデジタルデータは、６４ＱＡＭ変調部１１０ａ〜１１０ｄにより６４ＱＡＭの多値デジタル変調された後に、周波数多重部１１１によって他の被変調波と周波数多重されて伝送路に送信されるので、送信装置及び受信装置では、前述する実施の形態１の効果を得ることができる。
【０１１３】
さらには、実施の形態６のデジタルデータの送信装置では、割付評価部６０１は、最適な割り当て形態でない割り当て形態を一時的に記憶しておき、所定回数再入力された割り当て形態の内に最適な割り当て形態が得られなかった場合には、割り当て形態を一時的に記憶している割り当て形態の内から最適な割り当て形態に最も近い割り当て形態を選択し、この最も近い割り当て形態を複数ＴＳ分割割付部１０５に出力すると共に、最適な割り当て形態に最も近い割り当て形態と、最適な割り当て形態とを割付評価表示部５０２に出力する構成となっているので、最適な割り当て形態が得られない場合であっても、処理を続けることができるという格別の効果を得ることができる。
【０１１４】
ただし、実施の形態６のデジタルデータの送信装置において、最適な割り当て形態に近い許容値範囲の割り当て形態、あるいは許容値範囲の割り当て形態の内で所定数の割り当て形態を割付評価表示部５０２に表示させ、操作者が表示される割り当て形態を選択する構成としてもよいことはいうまでもない。すなわち、割付算出部１０７で算出された割り当て形態を一時的に格納しておき、ＴＳの分割数及び／又はＳＩ取得可能チャネル数が最適な分割形態に一致する割り当て形態が得られない場合には、一次的に格納される割り当て形態から許容値内の割り当て形態を検索して表示させ、操作者が表示される割り当て形態から選択する構成とすることより、操作者の判断により入力信号の切り替えを行うことなく、許容値内の割り当て形態を得ることができる。この動作は、例えば、割付評価表示部５０２に最適な割り当て形態がない旨の表示を行い、併せて最適な割り当て形態に最も近い割り当て形態を１乃至複数表示し、送信装置の操作者に近似の割り当て形態の内から任意の割り当て形態を選択させ、近似値選択部６０２から選択の結果を入力させ、その割り当て形態に対応する制御信号を割付評価部６０１から複数ＴＳ分割割付部１０５に出力する制御順序とすることにより実現可能である。
【０１１５】
なお、実施の形態１〜６のデジタルデータの送信装置では、本願発明をケーブルテレビの送信装置に適用した場合について説明したが、これに限定されることはなく、例えば衛星デジタル放送や地上デジタル放送にも適用可能なことはいうまでもない。ただし、この場合には、６４ＱＡＭ変調部１１０ａ〜１１０ｄや複数ＴＳ分割割付部１０５等も本願発明を適用する送信装置のパケット形式に変更する必要がある。
【０１１６】
以上、本発明者によってなされた発明を、前記発明の実施の形態に基づき具体的に説明したが、本発明は、前記発明の実施の形態に限定されるものではなく、その要旨を逸脱しない範囲において種々変更可能であることは勿論である。
【０１１７】
【発明の効果】
本願において開示される発明のうち代表的なものによって得られる効果を簡単に説明すれば、下記の通りである。
（１）伝送チャネル数と、伝送容量より小さいトランスポートストリーム形式のデジタルデータの数との何れか小さい値が、分割されないトランスポートストリーム形式のデジタルデータが割り当てられるチャネル数と一致するように設定できるので、受信装置の側で放送条件の可能となる可能性を向上させることができる。
（２）ＭＰＥＧ−ＴＳ形式のデジタルデータを送信するための伝送チャネルの分割数を最小数に設定できるので、同時受信を可能とするための受信装置側に必要となるチューナ（周波数選択回路）数を低減させることができる。
（３）同時受信を可能とするための受信装置側に必要となるチューナ（周波数選択回路）数を低減させることができるので、受信装置を小型化することができる。
（４）放送条件の取得が可能となるＳＩ取得可能チャネルを最大にしつつ、分割を必要とするＭＰＥＧ−ＴＳ形式のデジタルデータの分割数を少なくできるので、少ない伝送チャネルで効率よくＭＰＥＧ−ＴＳ形式のデジタルデータを送出することができる。
【図面の簡単な説明】
【図１】本発明の実施の形態１のデジタルデータの送信装置の概略構成を説明するための図である。
【図２】本発明の実施の形態２のデジタルデータの送信装置の概略構成を説明するための図である。
【図３】本発明の実施の形態３のデジタルデータの送信装置の概略構成を説明するための図である。
【図４】本発明の実施の形態４のデジタルデータの送信装置の概略構成を説明するための図である。
【図５】本発明の実施の形態５のデジタルデータの送信装置の概略構成を説明するための図である。
【図６】本発明の実施の形態６のデジタルデータの送信装置の概略構成を説明するための図である。
【図７】実施の形態１の割付算出部における割当アルゴリズムの一例を説明するための図である。
【符号の説明】
１０１…送信装置
１０２ａ〜１０２ｅ…第１〜第Ｍの複数ＴＳデータ部
１０３…複数ＴＳデータ情報等入力部  １０４…複数ＴＳ分割多重化部
１０５…複数ＴＳ分割割付部          １０６…ヌルパケット生成部
１０７…割付算出部                  １０８…割付評価部
１１０ａ〜１１０ｄ…６４ＱＡＭ変調部
１１１…周波数多重部
２０１ａ，２０１ｂ…第１〜第ｋの割付算出部
２０２…割付評価部
３０１…割付制御部                  ３０２…テーブルデータ
４０１…割付制御部                  ４０２…媒体管理部
４０３…記憶媒体
５０１…割付評価部                  ５０２…割付評価表示部
６０１…割付評価部                  ６０２…近似値選択部
【図１】
2004201235.tif 000003
【図２】
2004201235.tif 000004
【図３】
2004201235.tif 000005
【図４】
2004201235.tif 000006
【図５】
2004201235.tif 000007
【図６】
2004201235.tif 000008
【図７】
2004201235.tif 000009